(57)【要約】【課題】廃棄物の溶融処理により、溶融炉から排出されたスラグを再度溶融炉に投入しスラグの多段溶融処理を行うことにより、重金属を完全に還元した均一な組成の、安全で無公害なスラグを得る。また、補助剤を添加することにより、再資源化しやすい組成のスラグを得ることができるスラグの多段溶融法を提供する。【解決手段】廃棄物の溶融処理により溶融炉から排出されたスラグ３を受ける排出スラグ受入設備４と、溶融処理により溶融炉から排出されたスラグを再度炉頂もしくはスラグ投入口より投入するスラグ再投入コンベア５、もしくは溶融炉を２段〜複数段設置した場合では、１段目の溶融炉から排出されたスラグを２段目の溶融炉へ搬送するスラグ搬送コンベア６を具えることを特長とする。【選択図】図１
2007160290.tif 000002
【特許請求の範囲】
【請求項１】
一般廃棄物や産業廃棄物等の溶融処理施設等において、廃棄物の溶融により排出されたスラグを再度溶融炉へ投入し溶融処理し、スラグ中に含有する極微量の有害な重金属酸化物（六価クロムＣｒＯ３等）を還元させることを特徴とするスラグ多段溶融法。
【請求項２】
一般廃棄物や産業廃棄物等の溶融処理施設等で、溶融炉を２段〜複数段設置したプロセスにおいて、廃棄物の溶融処理により１段目前工程の溶融炉から排出されたスラグを２段目後工程の溶融炉に投入し溶融処理することにより、極微量の有害な重金属酸化物（六価クロムＣｒＯ３等）を完全に還元させることを特徴とするスラグ多段溶融法。
【請求項３】
一般廃棄物や産業廃棄物等の溶融処理施設等で、廃棄物の溶融処理により排出されたスラグを再度処理することにより、排出されるスラグの組成を均一にするとともに、スラグの成分を調整するための補助剤、例えば硅石や石灰石やコークスなどを添加することにより、スラグの再資源としての付加価値を高めることを特徴とするスラグ多段溶融法。
【請求項４】
一般廃棄物や産業廃棄物等の溶融処理施設等で、スラグと、廃棄物を同時に投入し、溶融処理することを特徴とするスラグ多段溶融法。
【発明の詳細な説明】
【技術分野】
【０００１】  本発明は、廃棄物の溶融処理施設等において発生するスラグの溶融処理方法に関する。
【背景技術】
【０００２】  従来の一般廃棄物や産業廃棄物等の溶融処理等のプロセスでは、廃棄物の溶融処理により排出されたスラグは１回溶融処理を行うだけであった。【０００３】  しかし、１回溶融処理を行うだけであると、場合によっては排出されたスラグ中に極微量の有害な重金属酸化物（六価クロムＣｒＯ３等）が含まれる可能性があるため、そのスラグを路盤材やコンクリートなどへ利用すると、重金属成分が地中へ溶出し、環境や人体へ悪影響を及ぼすという問題がある。【０００４】  さらに、１回溶融処理を行うだけでは、成分の不均一なスラグが排出されるため、品質の悪いスラグとなってしまうという問題もある。
【特許文献１】
【発明の開示】
【発明が解決しようとする課題】
【０００５】  本発明は、一般廃棄物や産業廃棄物等の溶融処理等により溶融炉から排出されたスラグの２段〜多段階溶融処理を行うことにより、排出されたスラグ中に重金属酸化物（六価クロムＣｒＯ３等）が含まれないように安全に処理する方法である。【０００６】  さらに、溶融炉から排出されたスラグの２段〜多段階溶融処理を行うことにより、排出されたスラグを均一な成分にし、スラグの成分を調整するための補助剤、例えば硅石や石灰石やコークスなどを添加することによって再資源として利用しやすい組成にする方法である。
【課題を解決するための手段】
【０００７】  上記目的を達成するため、一般廃棄物や産業廃棄物等の溶融処理等により溶融炉から排出されたスラグを受ける排出スラグ受入設備４と、溶融処理により溶融炉から排出されたスラグを再度炉頂もしくはスラグ投入口より投入するスラグ再投入コンベア５、もしくは溶融炉を２段〜複数段設置した場合では、１段目の溶融炉から排出されたスラグを２段目の溶融炉へ搬送するスラグ搬送コンベア６を具えることにある。【０００８】  また、スラグが高温のままで炉頂より廃棄物と一緒に投入すると、スラグの熱により、周囲の廃棄物が燃えてしまう可能性があるため、スラグは２００℃以下程度まで冷却後に炉頂より投入するのが望ましい。【０００９】  排出されたスラグを冷却する方法として水を使用することは、冷却後の水を処理する手間がかかるため、スラグの冷却は空冷することが望ましい。【００１０】  一般廃棄物や産業廃棄物等の処理等において、排出したスラグに種々の性質を与えるために、２度目の投入のときに添加剤としてスラグの成分を調整するための補助剤、例えば硅石や石灰石やコークスなどを混入させることにより、スラグに再資源としての付加価値を与えることが望ましい。
【発明の効果】
【００１１】  本発明により、廃棄物の溶融処理等により溶融炉から排出されるスラグを、再度溶融炉に投入し溶融処理することにより、スラグ中に極微量含まれる重金属酸化物（六価クロムＣｒＯ３等）を完全に還元させ、有害な重金属酸化物の排出を抑制する。【００１２】  廃棄物の溶融処理等により溶融炉から排出されるスラグを、再度溶融炉に投入し溶融処理することにより、スラグの無害化及び均一な組成のスラグを生成する。【００１３】  さらに、廃棄物の溶融処理により溶融炉から排出されたスラグを再度投入するときに、添加剤として種々のスラグの成分を調整するための補助剤、例えば硅石や石灰石やコークスなどを混入させることにより、排出されたスラグの性質を調整し、再資源として利用しやすい組成にする。【００１４】  また、スラグは一度溶融処理されているため、他の廃棄物と一緒に溶融処理を行うと溶融補助剤の働きを示し、他の廃棄物を溶融しやすくするため、廃棄物の溶融処理コストが低減する。
【発明を実施するための最良の形態】
【００１５】  以下、本発明の実施形態について、図面を参照しながら説明する。
図１〜図２は、廃棄物の溶融処理等により溶融炉より排出されたスラグを再度溶融炉へ投入して溶融処理する手段又は装置のフローチャートを示したものである。【００１６】  図１に示すスラグ多段溶融法は、一般廃棄物や産業廃棄物等などの廃棄物等１を溶融処理する溶融炉２と、排出されたスラグ３を受ける排出スラグ受入設備４と、スラグを炉頂より廃棄物等と一緒に投入する、スラグ再投入コンベア５で構成されている。【００１７】  このとき、廃棄物等を溶融処理している間は、均一で十分に還元された重金属を含むスラグを得ることは不可能であり、排出されたスラグは不均一で、場合によっては重金属酸化物を含む。均一で十分に還元されたスラグを得るには、廃棄物等の溶融処理が完了し、スラグのみの溶融処理を行う状態が必要となる。【００１８】  スラグのみの溶融を行う場合は、溶融炉の内壁に付着したスラグが溶出する熱量を炉内へ供給すればよいので、燃料の供給を低減もしくは停止させ、廃棄物等の溶融処理の余熱を利用してスラグを溶融炉から溶出させると燃料コストが安くなる。【００１９】  また、スラグの再溶融時に溶融炉に、添加剤としてスラグの成分を調整するための補助剤、例えば硅石や石灰石やコークスなど、別の資源を投入してスラグの組成比、品質をより「安全」で無公害化し、かつ再資源として利用しやすい組成とすることが可能である。【００２０】  図２に示すスラグ多段溶融法は、一般廃棄物や産業廃棄物等などの廃棄物等１を溶融処理する１段目前工程の溶融炉２と、排出されたスラグ３を受ける排出スラグ受入設備４と、スラグを２段目後工程の溶融炉へ投入するスラグ搬送コンベア６で構成されている。【００２１】  この２段目の溶融炉による溶融処理により、有害な重金属は完全に還元され、均一な組成のスラグを得ることができる。また溶融炉に、添加剤としてスラグの成分を調整するための補助剤、例えば硅石や石灰石やコークスなどをスラグと同時に投入することによって、スラグの組成比、品質をより「安全」で無公害化し、かつ再資源として利用しやすい組成とすることが可能である。
【実施例１】
【００２２】  本発明のスラグ多段溶融法を用いて、一般廃棄物や産業廃棄物等の溶融処理等をした場合、スラグの溶出試験を行った結果、均一な組成で重金属が還元されたスラグを得ることが確認できた。計測結果から、周辺環境への影響は、ほとんどないものと考えてよい。また、補助剤としてＣａＯ（酸化カルシウム）を添加すると強度の強いスラグが得られ、ＭｇＯ（酸化マグネシウム）を添加すると、保水性の高いスラグが得られた。
【産業上の利用可能性】
【００２３】  本発明によれば、一般廃棄物や産業廃棄物等の溶融処理により溶融炉から発生するスラグを無害化し、周辺環境への有害な重金属の放出を抑制することができる。さらに、スラグの再溶融処理を行う際に添加剤として、スラグの成分を調整するための補助剤、例えば硅石や石灰石やコークスなどを添加することによって、スラグの性質を改善し、スラグの再資源として利用しやすい組成にする。
【図面の簡単な説明】
【００２４】
【図１】  本発明に従うスラグ多段溶融法の代表的なフローチャートであり、スラグはスラグ再投入コンベア５により、炉頂より溶融炉２へ投入される。
【図２】  本発明に従うスラグ多段溶融法の代表的なフローチャートであり、スラグはスラグ搬送コンベア６により、２段目の溶融炉２′へ投入される。
【符号の説明】
【００２５】  １    廃棄物搬送コンベア（一般廃棄物や産業廃棄物の溶融炉への投入）
２    溶融処理施設（１段目）
２′  溶融処理施設（２段目）
３    スラグ
４    排出スラグ受入設備
５    スラグ再投入コンベア
６    スラグ搬送投入コンベア
【図１】
2007160290.tif 000003
【図２】
2007160290.tif 000004